(57)【要約】  【課題】  医用画像管理システムにおいて、クライアント端末からＤＢサーバに医用画像データを転送して保管する際に、オペレータの作業を簡略化する。  【解決手段】  このクライアント端末は、医用画像を表す画像データ等を格納する格納手段１２２又は１２３と、時間を計測する計時手段１２１ｃと、認証サーバに対してアクセス権を照会し、アクセス権が認められた場合に、格納手段に格納されている画像データ等をＤＢサーバに送信し、アクセス権が認められなかった場合に、格納手段に格納されている画像データ等を記録媒体に記録すると共に、計測された時間を参照することにより認証サーバに対して定期的にアクセス権を照会してアクセス権が認められた際に、記録媒体に記録されている画像データ等をＤＢサーバに送信するアクセス制御手段１２１ｂとを具備する。【選択図】  図３
2005250553.tif 000002
【特許請求の範囲】
【請求項１】
クライアント端末と、認証サーバと、データセンターに設置されたデータベースサーバとを、ネットワークを介して接続することにより構成される医用画像管理システムであって、前記クライアント端末が、
診断目的の撮影によって得られた医用画像を表す画像データ及び／又は該医用画像に付帯する画像付帯情報を格納する格納手段と、
時間を計測する計時手段と、
前記認証サーバに対してアクセス権を照会し、アクセス権が認められた場合に、前記格納手段に格納されている画像データ及び／又は画像付帯情報を前記データベースサーバに送信し、アクセス権が認められなかった場合に、前記格納手段に格納されている画像データ及び／又は画像付帯情報を記録媒体に記録すると共に、前記計時手段によって計測された時間を参照することにより前記認証サーバに対して定期的にアクセス権を照会してアクセス権が認められた際に、前記記録媒体に記録されている画像データ及び／又は画像付帯情報を前記データベースサーバに送信するアクセス制御手段と、
を具備する、医用画像管理システム。
【請求項２】
前記クライアント端末が、前記画像データ及び／又は画像付帯情報が前記データベースサーバに保管されているか否かについての情報を前記記録媒体に記録する、請求項１記載の医用画像管理システム。
【請求項３】
前記記録媒体が、ＤＶＤ（ディジタル・バーサタイル・ディスク）、ＣＤ（コンパクト・ディスク）、ＭＯ（光磁気）ディスク、ハードディスク、ＤＬＴ（ディジタル・リニア・テープ）、ＬＴＯ（リニア・テープ・オープン）の内の１つを含む、請求項１又は２記載の医用画像管理システム。
【請求項４】
認証サーバ及び医用画像管理システムのデータセンターに設置されたデータベースサーバにネットワークを介して接続されるクライアント端末であって、
診断目的の撮影によって得られた医用画像を表す画像データ及び／又は該医用画像に付帯する画像付帯情報を格納する格納手段と、
時間を計測する計時手段と、
前記認証サーバに対してアクセス権を照会し、アクセス権が認められた場合に、前記格納手段に格納されている画像データ及び／又は画像付帯情報を前記データベースサーバに送信し、アクセス権が認められなかった場合に、前記格納手段に格納されている画像データ及び／又は画像付帯情報を記録媒体に記録すると共に、前記計時手段によって計測された時間を参照することにより前記認証サーバに対して定期的にアクセス権を照会してアクセス権が認められた際に、前記記録媒体に記録されている画像データ及び／又は画像付帯情報を前記データベースサーバに送信するアクセス制御手段と、
を具備するクライアント端末。
【請求項５】
前記画像データ及び／又は画像付帯情報が前記データベースサーバに保管されているか否かについての情報を前記記録媒体に記録する、請求項４記載のクライアント端末。
【請求項６】
前記記録媒体が、ＤＶＤ（ディジタル・バーサタイル・ディスク）、ＣＤ（コンパクト・ディスク）、ＭＯ（光磁気）ディスク、ハードディスク、ＤＬＴ（ディジタル・リニア・テープ）、ＬＴＯ（リニア・テープ・オープン）の内の１つを含む、請求項４又は５記載のクライアント端末。
【請求項７】
クライアント端末と、認証サーバと、データセンターに設置されたデータベースサーバとを、ネットワークを介して接続することにより構成される医用画像管理システムにおいて用いられる医用画像管理方法であって、
診断目的の撮影によって得られた医用画像を表す画像データ及び／又は該医用画像に付帯する画像付帯情報を前記クライアント端末において格納するステップと、
前記クライアント端末から前記認証サーバに対してアクセス権を照会するステップと、
アクセス権が認められた場合に、格納されている画像データ及び／又は画像付帯情報を前記クライアント端末から前記データベースサーバに送信するステップと、
アクセス権が認められなかった場合に、前記クライアント端末において、格納されている画像データ及び／又は画像付帯情報を記録媒体に記録すると共に、クロック信号をカウントして時間を計測することにより前記認証サーバに対して定期的にアクセス権を照会してアクセス権が認められた際に、前記記録媒体に記録されている画像データ及び／又は画像付帯情報を前記データベースサーバに送信するステップと、
を具備する医用画像管理方法。
【請求項８】
前記クライアント端末において、前記画像データ及び／又は画像付帯情報が前記データベースサーバに保管されているか否かについての情報を前記記録媒体に記録するステップをさらに具備する請求項７記載の医用画像管理方法。
【請求項９】
前記記録媒体が、ＤＶＤ（ディジタル・バーサタイル・ディスク）、ＣＤ（コンパクト・ディスク）、ＭＯ（光磁気）ディスク、ハードディスク、ＤＬＴ（ディジタル・リニア・テープ）、ＬＴＯ（リニア・テープ・オープン）の内の１つを含む、請求項７又は８記載の医用画像管理方法。
【請求項１０】
認証サーバ及び医用画像管理システムのデータセンターに設置されたデータベースサーバにネットワークを介して接続されるクライアント端末において用いられる医用画像管理プログラムであって、
診断目的の撮影によって得られた医用画像を表す画像データ及び／又は該医用画像に付帯する画像付帯情報を格納する手順と、
前記認証サーバに対してアクセス権を照会する手順と、
アクセス権が認められた場合に、格納されている画像データ及び／又は画像付帯情報を前記データベースサーバに送信する手順と、
アクセス権が認められなかった場合に、格納されている画像データ及び／又は画像付帯情報を記録媒体に記録すると共に、クロック信号をカウントして時間を計測することにより前記認証サーバに対して定期的にアクセス権を照会してアクセス権が認められた際に、前記記録媒体に記録されている画像データ及び／又は画像付帯情報を前記データベースサーバに送信する手順と、
をＣＰＵに実行させる医用画像管理プログラム。
【請求項１１】
前記画像データ及び／又は画像付帯情報が前記データベースサーバに保管されているか否かについての情報を前記記録媒体に記録する手順をさらにＣＰＵに実行させる請求項１０記載の医用画像管理プログラム。
【請求項１２】
前記記録媒体が、ＤＶＤ（ディジタル・バーサタイル・ディスク）、ＣＤ（コンパクト・ディスク）、ＭＯ（光磁気）ディスク、ハードディスク、ＤＬＴ（ディジタル・リニア・テープ）、ＬＴＯ（リニア・テープ・オープン）の内の１つを含む、請求項１０又は１１記載の医用画像管理プログラム。
【発明の詳細な説明】
【技術分野】
【０００１】
本発明は、放射線撮影等の診断目的のための撮影によって得られた医用画像データを管理する医用画像管理システムに関し、特に、医用画像データの無断参照や改竄を防止するためのセキュリティ保護を考慮した医用画像管理システムに関する。さらに、本発明は、そのような医用画像管理システムにおいて用いるクライアント端末、医用画像管理方法、及び、医用画像管理プログラムに関する。
【背景技術】
【０００２】
従来より、開業医や病院等の医療施設において、放射線（Ｘ線、α線、β線、γ線、電子線、紫外線等）、超音波、ＭＲ（磁気共鳴）等を利用した医用画像撮影装置を用いて、医用画像が撮影されている。このような医用画像は、患者の病状の変化を知るために保管しておく必要があり、法律によっても所定期間の保管が義務付けられている。従って、医療施設においては、大量の医用画像を保管する必要が生じる。従来は、医用画像が撮影されたフィルム等を保管していたので、医用画像の保管スペースの確保や、管理作業及び検索作業が、医療施設にとって大きな負担となっていた。
【０００３】
一方、近年においては、医用画像撮影装置のディジタル化が進んでおり、医用画像を画像データとして光ディスクや磁気ディスク等に記録することにより、医用画像の保管スペースを削減したり、管理作業及び検索作業を省力化することが可能となる。しかしながら、１枚の医用画像を表す画像データの量は膨大であるので、光ディスクに記録したとしても、画像データを所定期間保管するためには、相当の枚数の光ディスクを要することになる。
【０００４】
このような問題を解決するために、下記の特許文献１には、医療施設における医用画像データを保管するスペースを大幅に削減し、多額の費用を要さず、簡易な作業で医用データを保管し管理することを可能とする医用画像集中管理システムが開示されている。この医用画像集中管理システムにおいては、医療施設で撮影された医用画像をディジタル信号に変換した画像データ等を、クライアント端末に備えられたハードディスクに記録蓄積する。クライアント端末は、通信回線を介して、プロバイダに備えられた画像データベースサーバと接続し、パスワードの照合を条件として、画像データ等の送受信、及び、画像データベースサーバに保管されている画像データの検索を行う。
【０００５】
この医用画像集中管理システムによれば、医療施設から離れた場所に設置された画像データベースサーバに、医療施設の有する医用画像データを保管することが可能となるので、医療施設が個別に医用画像データが記録された記録媒体を保管する必要がなくなり、そのためのスペースや、スペースを確保するための費用が削減できる。
【０００６】
しかしながら、通信回線の混雑等の理由により画像データベースサーバにアクセスできなかったり、画像データベースサーバが故障中あるいはメインテナンス中である場合には、再び画像データベースサーバへのアクセスをやり直さなければならず、オペレータの作業が煩雑になることが考えられる。
【特許文献１】特開２００２−２４３９４号公報（第１頁、図１）
【発明の開示】
【発明が解決しようとする課題】
【０００７】
そこで、上記の点に鑑み、本発明は、放射線撮影等の診断目的のための撮影によって得られた医用画像データを管理する医用画像管理システムにおいて、クライアント端末からデータベースサーバに医用画像データを転送して保管する際に、オペレータの作業を簡略化することを目的とする。
【課題を解決するための手段】
【０００８】
上記課題を解決するため、本発明に係る医用画像管理システムは、クライアント端末と、認証サーバと、データセンターに設置されたデータベースサーバとを、ネットワークを介して接続することにより構成される医用画像管理システムであって、クライアント端末が、診断目的の撮影によって得られた医用画像を表す画像データ及び／又は該医用画像に付帯する画像付帯情報を格納する格納手段と、時間を計測する計時手段と、認証サーバに対してアクセス権を照会し、アクセス権が認められた場合に、格納手段に格納されている画像データ及び／又は画像付帯情報をデータベースサーバに送信し、アクセス権が認められなかった場合に、格納手段に格納されている画像データ及び／又は画像付帯情報を記録媒体に記録すると共に、計時手段によって計測された時間を参照することにより認証サーバに対して定期的にアクセス権を照会してアクセス権が認められた際に、記録媒体に記録されている画像データ及び／又は画像付帯情報をデータベースサーバに送信するアクセス制御手段とを具備する。
【０００９】
本発明に係るクライアント端末は、認証サーバ及び医用画像管理システムのデータセンターに設置されたデータベースサーバにネットワークを介して接続されるクライアント端末であって、診断目的の撮影によって得られた医用画像を表す画像データ及び／又は該医用画像に付帯する画像付帯情報を格納する格納手段と、時間を計測する計時手段と、認証サーバに対してアクセス権を照会し、アクセス権が認められた場合に、格納手段に格納されている画像データ及び／又は画像付帯情報をデータベースサーバに送信し、アクセス権が認められなかった場合に、格納手段に格納されている画像データ及び／又は画像付帯情報を記録媒体に記録すると共に、計時手段によって計測された時間を参照することにより認証サーバに対して定期的にアクセス権を照会してアクセス権が認められた際に、記録媒体に記録されている画像データ及び／又は画像付帯情報をデータベースサーバに送信するアクセス制御手段とを具備する。
【００１０】
本発明に係る医用画像管理方法は、クライアント端末と、認証サーバと、データセンターに設置されたデータベースサーバとを、ネットワークを介して接続することにより構成される医用画像管理システムにおいて用いられる医用画像管理方法であって、診断目的の撮影によって得られた医用画像を表す画像データ及び／又は該医用画像に付帯する画像付帯情報をクライアント端末において格納するステップと、クライアント端末から認証サーバに対してアクセス権を照会するステップと、アクセス権が認められた場合に、格納されている画像データ及び／又は画像付帯情報をクライアント端末からデータベースサーバに送信するステップと、アクセス権が認められなかった場合に、クライアント端末において、格納されている画像データ及び／又は画像付帯情報を記録媒体に記録すると共に、クロック信号をカウントして時間を計測することにより認証サーバに対して定期的にアクセス権を照会してアクセス権が認められた際に、記録媒体に記録されている画像データ及び／又は画像付帯情報をデータベースサーバに送信するステップとを具備する。
【００１１】
本発明に係る医用画像管理プログラムは、認証サーバ及び医用画像管理システムのデータセンターに設置されたデータベースサーバにネットワークを介して接続されるクライアント端末において用いられる医用画像管理プログラムであって、診断目的の撮影によって得られた医用画像を表す画像データ及び／又は該医用画像に付帯する画像付帯情報を格納する手順と、認証サーバに対してアクセス権を照会する手順と、アクセス権が認められた場合に、格納されている画像データ及び／又は画像付帯情報をデータベースサーバに送信する手順と、アクセス権が認められなかった場合に、格納されている画像データ及び／又は画像付帯情報を記録媒体に記録すると共に、クロック信号をカウントして時間を計測することにより認証サーバに対して定期的にアクセス権を照会してアクセス権が認められた際に、記録媒体に記録されている画像データ及び／又は画像付帯情報をデータベースサーバに送信する手順とをＣＰＵに実行させる。
【発明の効果】
【００１２】
本発明によれば、クライアント端末から認証サーバへのアクセス権が認められなかった場合に、クライアント端末において、格納されている医用画像データを記録媒体に記録すると共に、クロック信号をカウントして時間を計測することにより認証サーバに対して定期的にアクセス権を照会し、アクセス権が認められた際に、記録媒体に記録されている画像データ等をＤＢサーバに送信するので、医用画像データの転送及び保管をデフォルト化して、オペレータの作業を簡略化することができる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の一実施形態に係る医用画像管理システムの構成を示す概略図である。図１に示すように、この医用画像管理システムは、医療施設の例として複数の診療所１０が、インターネット等の広域ネットワーク３０を介して、データセンター２０に接続されることにより構成される。
【００１４】
各々の診療所１０には、放射線画像撮影装置や超音波診断装置等の撮影モダリティ１１と、撮影モダリティ１１から医用画像を表す画像データを入力してデータセンター２０に転送するクライアント端末１２と、不正アクセスを防止するためのファイアウォール（ＦＷ）１３と、医用画像をフィルム等にプリントアウトするためのプリンタ１４等が、ローカルエリアネットワーク（ＬＡＮ）を介して接続されている。
【００１５】
撮影モダリティ１１として放射線画像撮影装置を用いる場合について、図２を参照しながら説明する。図２において、放射線画像撮影装置は、被検者に放射線を照射して撮影を行うことにより記録シート１に放射線画像を記録する撮像装置４０と、記録シート１に記録された放射線画像等の情報を光電的に読み取って画像データ及びその放射線画像に付帯する画像付帯情報を生成する画像読取装置５０とを含んでいる。記録シート１は、輝尽性蛍光体物質を塗布したものであり、放射線が照射されることにより被写体の情報が記録される。輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質である。
【００１６】
撮像装置４０は、撮像装置４０の所定の位置にセットされた記録シート１の位置を上下に移動させて微調整することにより被検者における撮影位置を昇降させる撮影位置昇降機構４１と、被検者の足の位置を決める撮影台４２と、被検者に放射線を照射する放射線発生部４３と、クライアント端末１２から制御信号が入力されるインタフェース４４とを含んでいる。
【００１７】
画像読取装置５０は、レーザ光源５１から出射し、光走査部５２を通った光ビームによって、所定の位置にセットされた記録シート１の表面を走査する。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）５３により光電的に検出され、アナログ信号として出力されて増幅器５４により増幅され、Ａ／Ｄ変換器５５によりディジタル化される。また、記録シート１を格納するカセッテに付されたバーコードが、バーコードリーダ５６により読み取られ、読み取られたバーコード情報は、患者情報及び検査情報に対応する画像付帯情報として使用される。このようにして生成された画像データと画像付帯情報とが、出力部５７からＬＡＮを介してクライアント端末１２に送信される。
【００１８】
クライアント端末１２は、撮像装置４０を制御すると共に、画像読取装置５０から画像データ及び画像付帯情報を入力して所定の期間格納する。クライアント端末１２において、画像データに対して画像処理を施したり、画像データ及び画像付帯情報に基づいて診断用の画像をディスプレイ等に表示することができる。ただし、毎日蓄積される医用画像データの量は膨大であるので、診療所に長期間保存することはせずに、診療所から離れた場所にあるデータセンターに転送し、そこで保管するようにしている。これにより、診療所において、医用画像データが記録された記録媒体を保管するためのスペースや、スペースを確保するための費用が削減できる。
【００１９】
再び図１を参照すると、データセンター２０には、クライアント端末１２からのアクセスに対して認証を行う認証サーバ２１と、認証に必要なユーザ情報を記録する認証データベース（ＤＢ）２２と、不正アクセスを防止するためのファイアウォール（ＦＷ）２３と、クライアント端末１２から送信された画像データ及び画像付帯情報を管理するデータベース（ＤＢ）サーバ２４とが設置されている。本実施形態においては、データセンター２０の内部に認証サーバ２１が設置されているが、認証サーバ２１は、データセンター２０の外部に設置されるようにしても良い。また、本実施形態においては、データベースサーバ２４が、画像サーバ２４ａと情報サーバ２４ｂとによって構成されている。画像サーバ２４ａは、画像データベース（ＤＢ）２５ａに画像データを蓄積し、情報サーバ２４ｂは、情報データベース（ＤＢ）２５ｂに画像付帯情報を蓄積する。
【００２０】
図３は、本発明の一実施形態に係るクライアント端末の構成を示すブロック図である。クライアント端末１２は、患者情報や各種の命令等を入力するために用いられる入力部６１と、記録シート１を格納するカセッテに付されたバーコードを読み取るバーコードリーダ６２と、診断用の画像等を表示する表示部６３と、処理部１２０とを含んでいる。撮影前に予めバーコードリーダ６２を用いてカセッテから読み取られたバーコード情報に基づいて、画像読取装置５０（図２）によって読み取られた医用画像と、クライアント端末１２が格納している患者情報及び検査情報とが対応付けられる。
【００２１】
処理部１２０は、中央演算装置（以下、ＣＰＵという）１２１と、入力された画像データ及び画像付帯情報を一時的に記憶するメモリ１２２と、ハードディスク１２３と、ハードディスク制御部１２４と、ＤＶＤ（ディジタル・バーサタイル・ディスク）に対する書込み及び読出しを行うＤＶＤドライブ１２５と、ＬＡＮに接続するためのネットワークインタフェース１２６とを含んでいる。これらの部分１２１〜１２６は、バスラインを介して相互に接続されている。なお、ＤＶＤの替わりに、ＣＤ（コンパクト・ディスク）、ＭＯ（光磁気）ディスク、ハードディスク、ＤＬＴ（ディジタル・リニア・テープ）、ＬＴＯ（リニア・テープ・オープン）等の内のいずれかを記録媒体として用い、その記録媒体に対して書込み及び読出しを行うドライブを設けるようにしても良い。ここで、ＤＬＴは、Ｑｕａｎｔｕｍ社の登録商標であり、ＬＴＯは、Ｈｅｗｌｅｔｔ−Ｐａｃｋａｒｄ社、ＩＢＭ社、Ｓｅａｇａｔｅ社の登録商標である。
【００２２】
さらに、処理部１２０は、インタフェース１２７と、クロック信号発生回路１２８とを含んでいる。インタフェース１２７を介して、キーボードやマウス等の入力部６１や、ＣＲＴディスプレイ等の表示部６３が、ＣＰＵ１２１に接続されている。また、ＣＰＵ１２１には、クロック信号発生回路１２８から、計時用のクロック信号が供給される。
【００２３】
メモリ１２２は、撮影モダリティから受信した画像データ及び画像付帯情報を一時的に記憶する。ハードディスク１２３には、ＣＰＵ１２１に動作を行わせるためのソフトウェア（プログラム）が記録されている。なお、プログラムを記録する記録媒体としては、内蔵のハードディスク１２３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２４】
本実施形態においては、画像読取装置５０から入力した画像データ及び画像付帯情報を所定の期間格納するが、そのための格納手段として、メモリ１２２、又は、ハードディスク１２３及びハードディスク制御部１２４を用いることができる。
【００２５】
次に、ＣＰＵ１２１とソフトウェア（プログラム）とによって構成される機能ブロック１２１ａ〜１２１ｄについて説明する。
画像処理部１２１ａは、画像読取装置から受信された画像データに、必要な画像処理を施す。必要な画像処理が施された画像データは、出力部１２１ｄからインタフェース１２７を介して表示部６３に供給されて、表示部６３において画像が表示され、その画像がオペレータによって確認される。また、必要な画像処理が施された画像データは、メモリ１２２に記憶されると共に、設定された条件に従って、ハードディスク制御部１２４によって、ハードディスク１２３に記録される。
【００２６】
このようにして所望の画像データが得られると、画像データ及び画像付帯情報をデータセンターに保管するために、入力部６１を用いたオペレータの指示、又は、設定された条件に従って、アクセス制御部１２１ｂが、データセンターに対してアクセスを開始する。また、診療所において、データセンターに保管されている画像データ及び画像付帯情報を検索する際にも、アクセス制御部１２１ｂが、データセンターに対してアクセスを行う。計時部１２１ｃは、クロック信号発生回路１２８から供給される計時用のクロック信号をカウントすることにより時間を計測し、アクセス制御部１２１ｂが、計時部１２１ｃによって計測された時間を参照することにより、後で説明する定期的な自動アクセスを行うタイミングを決定する。
【００２７】
データセンターにおいては、個人情報の漏洩や医用画像データの改竄等を防止するために、医用画像データへのアクセスに認証を要求し、認証により許可されるまでは、医用画像データへのアクセスを禁止している。アクセス制御部１２１ｂが、データセンターの認証サーバ２１（図１）に対してアクセス権を照会すると、認証サーバ２１は、認証を開始する。以下に、認証サーバが行う認証について説明する。
【００２８】
図４に、クライアント端末において認証に必要な情報を入力するための認証画面の例を示す。認証画面７０には、ユーザ名欄７２、パスワード欄７３及びログオンボタン７４を含むメニュー７１が表示される。
【００２９】
認証を行う際には、オペレータが、図３に示す入力部６１を用いて、メニュー７１のユーザ名欄７２及びパスワード欄７３にユーザ名及びパスワードを入力し、ログオンボタン７４又はエンター（Ｅｎｔｅｒ）キーを押下する。これに応答して、認証サーバは、入力されたユーザ名及びパスワードが、登録されているユーザ情報と一致するか否かを確認する。
【００３０】
認証に必要なユーザ名及びパスワードを含むユーザ情報は、予め認証サーバに入力され、認証ＤＢ２２（図１）に記録されている。例えば、ユーザ情報の登録の際には、専用のサービスマンが、ユーザユーティリティにおいて技師情報設定モードを選択し、ユーザユーティリティにおいて定められている管理者（administrator）のパスワードを用いてログオンを行い、ユーザ情報を登録する。
【００３１】
認証サーバは、メニュー７１に従って入力されたユーザ名及びパスワードが認証ＤＢに記録されているユーザ情報と一致することが確認された場合にのみ、クライアント端末に対してアクセス権を認める。なお、ログオン又はログオフを行ったユーザ名等の履歴を、アプリケーション側イベントログとして保存しても良い。
【００３２】
図５に、データセンターにおいて認証のために登録されるユーザ情報の例を示す。図５に示すように、技師コード、漢字技師名、ＡＮＫ（Alphabet Numeric Kana：英数カナ文字）技師名、ユーザ名及びパスワードの組が登録される。例えば、技師コード「０００１」に対応して、漢字技師名「鈴木  一郎」、ＡＮＫ技師名「スス゛キ イチロウ」、ユーザ名「Ichirou」及びパスワード「123456」が登録され、技師コード「０００２」に対応して、漢字技師名「山本  太郎」、ＡＮＫ技師名「ヤマモト タロウ」、ユーザ名「Tarotaro」及びパスワード「Tarou123」が登録され、技師コード「０００３」に対応して、漢字技師名「山田  花子」、ＡＮＫ技師名「ヤマタ゛ ハナコ」、ユーザ名「yamada」及びパスワード「hanako」が登録されている。
【００３３】
この場合には、図４に示す認証画面７０に表示されたメニュー７１のユーザ名欄７２及びパスワード欄７３に、ユーザ名「Ichirou」及びパスワード「123456」の組を入力するか、又は、ユーザ名「Tarotaro」及びパスワード「Tarou123」の組を入力するか、又は、ユーザ名「yamada」及びパスワード「hanako」の組を入力した場合に、アクセス権が認められ、認証画面７０が解除されて、データセンターの画像サーバや情報サーバへのアクセスが可能となる。一方、これら以外のユーザ名及びパスワードを入力した場合には、アクセス権が認められず、画像サーバや情報サーバへのアクセスができない。
【００３４】
また、通信回線の混雑等の理由によりデータセンターにアクセスできなかったり、データセンターの画像サーバや情報サーバが故障中あるいはメインテナンス中である場合も考えられる。そのような場合に、オペレータが再びデータセンターへのアクセスをやり直さなければならないとしたら、オペレータの作業が煩雑になってしまう。
【００３５】
そこで、アクセス制御部１２１ｂは、アクセス権が認められた場合には、図３に示すメモリ１２２又はハードディスク１２３等の格納手段に格納されている画像データ及び／又は画像付帯情報を、データセンターの画像サーバ及び／又は情報サーバに送信して記録させる一方、アクセス権が認められなかった場合には、格納手段に格納されている画像データ及び／又は画像付帯情報を、それらがデータセンターに保管されていないことを表すフラグと共に記録媒体に記録する。この記録媒体は、ＤＶＤやＣＤ等のように可搬性であることが望ましい。
【００３６】
その後、アクセス制御部１２１ｂは、計時部１２１ｃによって計測された時間を参照することにより、認証サーバに対して定期的にアクセス権を照会する。例えば、アクセス制御部１２１ｂは、１時間毎に１回、又は、１日毎に１回、アクセス権を照会するようにしても良いし、毎日所定の時刻にアクセス権を照会するようにしても良い。これによりアクセス権が認められた場合には、アクセス制御部１２１ｂは、記録媒体に記録されている画像データ及び／又は画像付帯情報を、データセンターの画像サーバ及び／又は情報サーバに送信して記録させ、記録が完了した後に、それらがデータセンターに保管されたことを表すフラグを記録媒体に記録する。
【００３７】
なお、本実施形態においては、画像処理部１２１ａ、アクセス制御部１２１ｂ、計時部１２１ｃ、出力部１２１ｄを、ＣＰＵとソフトウェアで構成したが、ディジタル回路やアナログ回路で構成しても良い。
【００３８】
次に、本実施形態に係る医用画像管理システムに含まれているクライアント端末の動作について、図１〜図６を参照しながら説明する。図６は、本実施形態におけるクライアント端末の動作を示すフローチャートである。
【００３９】
まず、ステップＳ１において、クライアント端末１２が、診断目的の撮影によって得られた医用画像を表す画像データ及び／又は該医用画像に付帯する画像付帯情報を撮影モダリティ１１から入力し、メモリ１２２又はハードディスク１２３等の格納手段に格納する。次に、ステップＳ２において、アクセス制御部１２１ｂが、データセンター２０の認証サーバ２１に対して、アクセス権を照会する。ステップＳ３において、アクセス制御部１２１ｂが、認証サーバ２１によってアクセス権が認められたか否かについて判定する。
【００４０】
アクセス権が認められた場合には、処理はステップＳ４に移行して、アクセス制御部１２１ｂが、格納されている画像データ及び／又は画像付帯情報を、クライアント端末１２からデータセンター２０の画像サーバ２４ａ及び／又は情報サーバ２４ｂに送信する。これにより、画像データ等が、データセンター２０に保管される。その後、処理はステップＳ１に戻って、次の画像データ等を格納する。
【００４１】
一方、アクセス権が認められなかった場合には、処理はステップＳ５に移行して、アクセス制御部１２１ｂが、格納されている画像データ及び／又は画像付帯情報を、それらがデータセンターに保管されていないことを表すフラグと共に、ＤＶＤ等の記録媒体に記録する。その後、ステップＳ６において、アクセス制御部１２１ｂは、計時部１２１ｃがクロック信号をカウントして計測した時間を参照することにより現在時刻を把握し、データセンターに再度アクセスを行うアクセス予定時刻を決定する。
【００４２】
ステップＳ７において、アクセス制御部１２１ｂは、計時部１２１ｃがクロック信号をカウントして計測した時間を参照することにより現在時刻を把握し、現在時刻をアクセス予定時刻と比較する。現在時刻がアクセス予定時刻よりも前である場合には、ステップＳ７を繰り返す。その間、クライアント端末１２は、アンダーグランドで他の処理を行うことができる。
【００４３】
一方、現在時刻がアクセス予定時刻と等しいか、又は、現在時刻がアクセス予定時刻を経過している場合には、処理はステップＳ８に移行する。ステップＳ８において、アクセス制御部１２１ｂが、再び、データセンター２０の認証サーバ２１に対して、アクセス権を照会する。ステップＳ９において、アクセス制御部１２１ｂが、認証サーバ２１によってアクセス権が認められたか否かについて判定する。アクセス権が認められなかった場合には、ステップＳ６〜Ｓ９を繰り返す。
【００４４】
一方、アクセス権が認められた際には、ステップＳ１０において、アクセス制御部１２１ｂが、記録媒体に記録されている画像データ及び／又は画像付帯情報を、データセンター２０の画像サーバ２４ａ及び／又は情報サーバ２４ｂに送信する。これにより、画像データ等が、データセンター２０に保管される。
【００４５】
以上の実施形態においては、計時用のクロック信号をカウントすることにより時間を計測するようにしたが、ネットワークタイムサーバ等を用いて時間を計測するようにしても良い。
【産業上の利用可能性】
【００４６】
本発明は、放射線撮影等の診断目的のための撮影によって得られた医用画像データを管理する医用画像管理システムにおいて利用することが可能である。
【図面の簡単な説明】
【００４７】
【図１】本発明の一実施形態に係る医用画像管理システムの構成を示す概略図である。
【図２】本発明の一実施形態において用いられる放射線画像撮影装置を含む構成を示すブロック図である。
【図３】本発明の一実施形態に係るクライアント端末の構成を示すブロック図である。
【図４】クライアント端末において認証に必要な情報を入力するための認証画面の例を示す図である。
【図５】データセンターにおいて認証のために登録されるユーザ情報の例を示す。
【図６】本実施形態におけるクライアント端末の動作を示すフローチャートである。
【符号の説明】
【００４８】
１  記録シート（輝尽性蛍光体シート）
１０  診療所
１１  撮影モダリティ
１２  クライアント端末
１３  ファイアウォール（ＦＷ）
１４  プリンタ
２０  データセンター
３０  広域ネットワーク
４０  撮像装置
４１  撮影位置昇降機構
４２  撮影台
４３  放射線発生部
４４  インタフェース
５０  画像読取装置
５１  レーザ光源
５２  光走査部
５３  フォトマルチプライヤ（光電子増倍管）
５４  増幅器
５５  Ａ／Ｄ変換器
５６  バーコードリーダ
５７  出力部
６１  入力部
６２  バーコードリーダ
６３  表示部
７０  認証画面
７１  メニュー
７２  ユーザ名欄
７３  パスワード欄
７４  ログオンボタン
１２０  処理部
１２１  中央演算装置（ＣＰＵ）
１２１ａ  画像処理部
１２１ｂ  アクセス制御部
１２１ｃ  計時部
１２１ｄ  出力部
１２２  メモリ
１２３  ハードディスク
１２４  ハードディスク制御部
１２５  ＤＶＤドライブ
１２６  ネットワークインタフェース
１２７  インタフェース
１２８  クロック信号発生回路
【図１】
2005250553.tif 000003
【図２】
2005250553.tif 000004
【図３】
2005250553.tif 000005
【図４】
2005250553.tif 000006
【図５】
2005250553.tif 000007
【図６】
2005250553.tif 000008